(57)【要約】【課題】販売時における美観や質感を損なうことなく、購買者の安全性を確保すること。【解決手段】紙コップなどの容器本体１１１の飲み口を、天面部１２２、底面部３１１および側面部１２３によって構成される箱体１２１によって覆う包装容器１００を構成した。これにより、容器本体１１１全体をフィルムなどで覆うことなく、飲み口およびその周辺を衛生的に保つことができるので、販売時における美観や質感を損なうことなく、購買者の安全性を確保することができる。【選択図】図５
2019055799.tif 000002
【特許請求の範囲】
【請求項１】
内側に空間を備えた錐台形状をなし、当該錐台形状における下底に相当する位置または当該位置の近傍に容器開口を備えた容器本体と、
天面部および底面部と、当該天面部および当該底面部に連続する側面部とを備え、前記容器開口を含む前記下底を囲む箱体と、
を備え、
前記箱体は、
前記底面部に、前記錐台形状における上底に相当する位置における外径より大きく、前記下底に相当する位置における外径より小さい径で開口する装着用開口を備え、
前記錐台形状における錐台面が前記装着用開口内に位置し、前記側面部および前記底面部によって前記容器開口を覆う状態で、前記容器本体に装着される、
ことを特徴とする包装容器。
【請求項２】
前記容器本体に取り外し可能に取り付けられ、当該容器本体に取り付けられた状態において前記容器開口を閉塞する蓋体を備え、
前記箱体は、前記蓋体および前記容器開口を覆う状態で、前記容器本体に装着される、
ことを特徴とする請求項１に記載の包装容器。
【請求項３】
前記箱体は、前記容器本体に装着される状態において、各面部の位置関係を固定する固定部材を備えた、
ことを特徴とする請求項１または２に記載の包装容器。
【請求項４】
前記箱体は、前記天面部に連続し、当該箱体が前記容器本体に装着される状態において前記側面部と重なるフラップを備え、
前記固定部材は、前記フラップを前記側面部に一体化するように固定する、
ことを特徴とする請求項３に記載の包装容器。
【請求項５】
前記箱体は、単一のシート状部材によって形成される、
ことを特徴とする請求項１〜４のいずれか一つに記載の包装容器。
【請求項６】
前記箱体は、少なくとも側面部の一部に対応して設けられ、当該箱体が前記容器本体に装着される状態において、腕組構造によって相互に連結されるソデ部材対を備えた、
ことを特徴とする請求項５に記載の包装容器。
【発明の詳細な説明】
【技術分野】
【０００１】
この発明は、包装容器に関する。
【背景技術】
【０００２】
紙コップなどの使い捨ての容器と、インスタントコーヒーの粉あるいはティーバッグなどを一体に包装したカップ式飲料がある。従来、このようなカップ式飲料においては、購入者が実際に使用するまで飲み口を清潔に保つため、シュリンクなどと称されるパッケージ方法を用いて、容器全体を薄いフィルムによって包装されているものがあった。
【０００３】
また、関連する技術として、具体的には、従来、紙製カップ容器の蓋に飲料を通過させる流出孔と通気孔とを備えたクリンシールを貼り付けることによって、飲み口の清潔と衛生を確保するようにした技術があった（たとえば、下記特許文献１を参照。）。
【先行技術文献】
【特許文献】
【０００４】
【特許文献１】特開２００５−３４３５５７号公報
【発明の概要】
【発明が解決しようとする課題】
【０００５】
しかしながら、上述した従来の技術は、容器全体を薄いフィルムによって包装しているため、容器の質感にかかわらず、フィルムの質感が前面に押し出されてしまう。このため、店舗などに陳列されている状態において、容器の本来の質感を伝えにくく、容器の質感に工夫を凝らしても、同様のフィルムによって包装された商品と質感の点で差異を示しにくいという問題があった。
【０００６】
この発明は、上述した従来技術による問題点を解消するため、販売時における美観や質感を損なうことなく、購買者の安全性を確保することができる包装容器を提供することを目的とする。
【課題を解決するための手段】
【０００７】
上述した課題を解決し、目的を達成するため、この発明にかかる包装容器は、内側に空間を備えた錐台形状をなし、当該錐台形状における下底に相当する位置または当該位置の近傍に容器開口を備えた容器本体と、天面部および底面部と、当該天面部および当該底面部に連続する側面部とを備え、前記容器開口を含む前記下底を囲む箱体と、を備え、前記箱体が、前記底面部に、前記錐台形状における上底に相当する位置における外径より大きく、前記下底に相当する位置における外径より小さい径で開口する装着用開口を備え、前記錐台形状における錐台面が前記装着用開口内に位置し、前記側面部および前記底面部によって前記容器開口を覆う状態で、前記容器本体に装着される、ことを特徴とする。
【０００８】
また、この発明にかかる包装容器は、上記の発明において、前記容器本体に取り外し可能に取り付けられ、当該容器本体に取り付けられた状態において前記容器開口を閉塞する蓋体を備え、前記箱体が、前記蓋体および前記容器開口を覆う状態で、前記容器本体に装着される、ことを特徴とする。
【０００９】
また、この発明にかかる包装容器は、上記の発明において、前記箱体が、前記容器本体に装着される状態において、各面部の位置関係を固定する固定部材を備えた、ことを特徴とする。
【００１０】
また、この発明にかかる包装容器は、上記の発明において、前記箱体が、前記天面部に連続し、当該箱体が前記容器本体に装着される状態において前記側面部と重なるフラップを備え、前記固定部材が、前記フラップを前記側面部に一体化するように固定する、ことを特徴とする。
【００１１】
また、この発明にかかる包装容器は、上記の発明において、前記箱体が、単一のシート状部材によって形成される、ことを特徴とする。
【００１２】
また、この発明にかかる包装容器は、上記の発明において、前記箱体が、少なくとも側面部の一部に対応して設けられ、当該箱体が前記容器本体に装着される状態において、腕組構造によって相互に連結されるソデ部材対を備えた、ことを特徴とする。
【発明の効果】
【００１３】
この発明にかかる包装容器によれば、販売時における美観や質感を損なうことなく、購買者の安全性を確保することができるという効果を奏する。
【図面の簡単な説明】
【００１４】
【図１】この発明にかかる実施の形態の包装容器の外観を示す説明図（その１）である。
【図２】この発明にかかる実施の形態の包装容器の外観を示す説明図（その２）である。
【図３】この発明にかかる実施の形態の包装容器の分解斜視図である。
【図４】箱体の展開図である。
【図５】この発明にかかる実施の形態の包装容器の組み立て方法を示す説明図である。
【図６】箱体の別の利用例を示す説明図である。
【図７】この発明にかかる別の実施の形態の包装容器の外観を示す説明図（その１）である。
【図８】この発明にかかる別の実施の形態の包装容器の外観を示す説明図（その２）である。
【発明を実施するための形態】
【００１５】
以下に添付図面を参照して、この発明にかかる包装容器の好適な実施の形態を詳細に説明する。
【００１６】
（包装容器の構成）
まず、この発明にかかる実施の形態の包装容器の構成について説明する。図１および図２は、この発明にかかる実施の形態の包装容器の外観を示す説明図である。図１においては、包装容器を正面側から見た斜視図、図２においては、包装容器を背面側から見た斜視図を示している。図３は、この発明にかかる実施の形態の包装容器の分解斜視図である。
【００１７】
図１〜図３において、この発明にかかる実施の形態の包装容器１００は、容器部１１０と、包装部１２０と、を備えている。容器部１１０は、容器本体１１１と、蓋体３０１と、によって構成されている。包装部１２０は、箱体１２１と、固定部材２０１と、によって構成されている。以下に、容器部１１０を構成する容器本体１１１および蓋体３０１、包装部１２０を構成する箱体１２１および固定部材２０１について、それぞれ説明する。
【００１８】
＜容器本体１１１＞
まず、容器本体１１１について説明する。容器本体１１１は、錐台形状の外観をなす。容器本体１１１は、錐体面（側面）と、当該錐体面がなす錐体の高さ方向に直交する平行な２つの面と、によって囲まれる有界な形状の外観をなす。錐台とは、錐体から、頂点を共有し相似に縮小した錐体を取り除いた立体図形であって、錐体面と、平行な一対の平面によって囲まれる立体を示す。錐台において、平行な一対の平面は、相似関係にある。
【００１９】
錐体とは、正円や楕円などのように単一の平面上に形成される閉曲線によって示される図形、あるいは、四角形や六角形などの多角形のように単一の平面上において閉じた単純折れ線によって囲まれた図形におけるすべての点と、当該単一の平面上には存在しない一点と、を結んでできる立体を示す。
【００２０】
この実施の形態の容器本体１１１は、円錐台形状の外観をなす。円錐台は、円錐を、当該円錐の底面部に平行な平面で切断し、切断によって形成される切断前の円錐よりも小さい円錐部分を除いた立体を示す。この実施の形態において、円錐とは、単一の平面上の円の円周上の各点と、当該単一の平面上には存在しない一点と、を結んでできる立体を示す。
【００２１】
この実施の形態においては、以降、適宜、容器本体１１１がなす錐台形状における一対の平行な平面のうち、面積の大きい方を下底、面積の小さい方を上底、として説明する。円錐台において、下底は、上記の小さい円錐を除く前の円錐における底面部に相当し、上底は、上記の小さい円錐を除くことによって形成される。
【００２２】
容器本体１１１の外径寸法は、容器本体１１１がなす錐台形状における高さ方向に沿って、上底側よりも下底側の方が大きい。容器本体１１１の内側には空間３０２が形成されている。空間３０２内には、たとえば、お茶やコーヒーなどの飲料が入れられる。飲料は、高温の飲料であってもよく、低温の飲料であってもよい。容器本体１１１は、たとえば、紙、プラスチックなどと称される高分子材料、ガラス、金属、陶土、陶石など、各種の材料を用いて形成することができる。
【００２３】
容器本体１１１において、下底に相当する位置には、容器開口３０３が設けられている。容器開口３０３は、容器本体１１１内に形成される空間３０２に連続している。容器開口３０３は、容器本体１１１がなす錐台形状における下底に相当する部分の周縁部のみを残すことによって形成されている。
【００２４】
容器本体１１１における周縁部、いわゆる「飲み口」は、外周側に向けて丸められている。このため、錐体面の端部をなす周縁部は、周縁部に連続する他の錐体面よりも硬くなっている。これにより、容器本体１１１の利用者が空間３０２内に収容された飲料を飲むときの飲みやすさを確保することができる。容器本体１１１における周縁部を丸めて飲み口を形成することにより、周縁部の形状を維持し、周縁部の形が定まらないために飲みにくかったり、こぼれたりするという不具合が生じることを回避できる。
【００２５】
容器本体１１１は、上底に相当する位置、または、当該位置から円錐台形状における高さ方向に沿って所定距離下底側の位置に設けられた、底板部材３０４を備えている。この実施の形態において底板部材３０４は、上底に相当する位置から円錐台の高さ方向に沿って若干下底側の位置に設けられている。このため、容器本体１１１は、いわゆる「上げ底」形状をなす。
【００２６】
容器本体１１１を「上げ底」形状とすることにより、水滴が錐体面（容器本体１１１の側面）や底板部材３０４に付いて容器本体１１１が濡れ、当該水滴が重力により下に垂れて容器本体１１１の接地面と底板部材３０４とがくっつくことによって、持ち上げにくくなったり、無理に持ち上げて内容物をこぼしたりすることを回避できる。
【００２７】
＜蓋体３０１＞
つぎに、蓋体３０１について説明する。蓋体３０１は、容器本体１１１に取り外し可能に取り付けられる。蓋体３０１は、天板部３０５と側面部３０６と周縁部３０７とによって構成されており、凹形状をなす。蓋体３０１は、容器の容器開口３０３に被せられることによって、当該容器開口３０３を塞ぐ。これにより、埃などの異物の容器本体１１１内への混入を防止することができ、また、容器本体１１１内に収容された収容物が容器外に出ることを防止することができる。
【００２８】
また、蓋体３０１は、周縁部を容器本体１１１の容器開口３０３の周縁部に嵌合させることにより、容器本体１１１内に飲料などの液体を入れた状態でも、容器本体１１１と蓋体３０１との境目から当該液体が容器本体１１１の外に漏れ出ることを防止するように、容器開口３０３を塞ぐ。蓋体３０１は、容器本体１１１に取り外し可能に取り付けられる。これにより、たとえば、容器本体１１１内に液体を収容した状態で運搬する場合に、容器本体１１１に振動が加えられた場合にも、容器本体１１１内の液体がこぼれ出ることを防止できる。
【００２９】
蓋体３０１の天板部３０５には、飲み口として機能する穴３０８が形成されていてもよい。この場合、天板部３０５の一部３０５ａは、穴３０８を開放可能に塞ぐリフトアップタブを構成してもよい。これにより、容器本体１１１に蓋体３０１を装着した状態のまま、容器本体１１１内の飲料を穴３０８を介して飲むことができる。蓋体３０１は、たとえば、プラスチックを用いて形成することができる。蓋体３０１は、天板部３０５の面に直交する方向（軸心方向）に対して側面部が傾斜したテーパー形状であってもよい。
【００３０】
＜箱体１２１＞
つぎに、箱体１２１について説明する。箱体１２１は、容器部１１０に装着され、容器部１１０と一体化される。箱体１２１は、それぞれ１つの底面部３１１および天面部１２２と、４つの側面部１２３（１２３ａ、１２３ｂ、１２３ｃ、１２３ｄ）とを備えた円柱または多角柱形状をなす。この実施の形態においては、６つの四角形によって構成される四角柱形状をなす箱体１２１について説明する。この実施の形態の箱体１２１においては、以降、４つの側面部１２３（１２３ａ、１２３ｂ、１２３ｃ、１２３ｄ）のそれぞれを、適宜、正面側の側面部１２３ａ、右側の側面部１２３ｂ、背面側の側面部１２３ｃ、左側の側面部１２３ｄとして説明する。
【００３１】
箱体１２１において、底面部３１１と天面部１２２とは、互いに等しい四角形状をなす。箱体１２１において、４つの側面部１２３は、底面部３１１における４つの辺のいずれか１つと、当該いずれか１つの辺に対向し天面部１２２における４つの辺のいずれか１つと、をそれぞれ長辺とし、各長辺を結ぶ２つの短辺を備えた四角形をなす。
【００３２】
箱体１２１において、底面部３１１および天面部１２２は、互いに等しい四角形状をなすものに限らない。箱体１２１は、たとえば、底面部３１１と天面部１２２とが相似関係をなし、底面部３１１の方が天面部１２２よりも小さい四角錐台形状であってもよい。この場合、４つの側面部１２３は、それぞれ、台形をなす。
【００３３】
天面部１２２は、側面部１２３に連続するシートによって構成されている。天面部１２２は、側面部１２３に連続するシートが、複数重なっていることが好ましい。この実施の形態の箱体１２１においては、天面部１２２において、大きさおよび形状が等しい２枚のシートが重なっている。天面部１２２において重なり合うシートは、２枚であってもよく、３枚以上であってもよい。
【００３４】
このように、天面部１２２において、大きさの等しい複数枚のシートを重ねることにより、天面部１２２と側面部１２３との境から箱体１２１内をのぞき込むことが難しくなる。これにより、箱体１２１を構成する各面部１２２、１２３、３１１どうしの隙間から箱体１２１内に異物を混入しづらくすることができる。
【００３５】
天面部１２２において重なり合うシート１２２Ａ〜１２２Ｄは、大きさや形状がすべて等しいものに限らない。たとえば、４つの側面部１２３のうちのいずれか一つに連続するシート１２２Ａを、底面部３１１と大きさおよび形状が等しくなるように、いわゆる「オーバーフラップ」状に構成する。この場合のオーバーフラップは、開口３１２がない状態の底面部３１１、すなわち、底面部３１１の外形と同じ大きさおよび形状とする。
【００３６】
そして、残余の側面部のそれぞれにはオーバーフラップに一部重なるシートを連続して設けてもよい。これによっても、箱体１２１を構成する各面部１２２、１２３、３１１どうしの隙間から箱体１２１内に異物を混入しづらくすることができる。
【００３７】
箱体１２１は、フラップ２０２を備えている。フラップ２０２は、天面部１２２に連続して設けられている。フラップ２０２は、天面部１２２との境界において折り曲げられることによって、箱体１２１の背面側に位置づけられる。箱体１２１が備える４つの側面部１２３のうち、背面側の側面部１２３ｃには、スリット２０３が設けられている。フラップ２０２は、先端からこのスリット２０３に挿入されることによって、箱体１２１の背面部に固定されている。
【００３８】
箱体１２１の天面部１２２や側面部１２３は、当該箱体１２１が装着される容器本体１１１や当該容器本体１１１に充填される飲料などの内容物の宣伝広告に用いることができる。具体的に、天面部１２２や側面部１２３に、容器本体１１１や内容物を宣伝または広告する文言・文字・イラスト・写真などを印刷することによって、宣伝広告をおこなうことができる。
【００３９】
天面部１２２において複数のシート１２２Ｂ、１２２Ａを重ねる場合、宣伝または広告する文言・文字・イラスト・写真などの印刷する広告の内容は、たとえば、商品のコンセプトなどに応じて適宜設定することができる。また、複数のシート１２２Ａ〜１２２Ｄのうち、いずれのシートを重ねるか、あるいはすべてのシートを重ねるか、については、容器本体１１１の内容物などに応じて適宜決定してもよい。
【００４０】
具体的には、たとえば、容器本体１１１の内容物が食品のように、衛生的な管理が求められるものである場合、重ね合わせるシートの数を増やしたり、重ね合わせる面積を大きくしたりする。これにより、箱体１２１からシート１２２Ａ〜１２２Ｄのいずれかを引き出して箱体１２１に隙間を作ったり、箱体１２１の隙間から異物を混入したりすることを確実に防止することができる。
【００４１】
箱体１２１においては、フラップ２０２を背面側に配置することにより、シールによって情報が隠される背面部分を包装容器１００の購入者から見えにくくすることができる。これにより、箱体１２１側面の限られたスペースを有効に利用して、包装容器１００を用いた商品の宣伝広告をおこなうことができる。
【００４２】
底面部３１１には、容器本体１１１がなす錐台形状の上底に相当する位置における外径より大きく、当該錐台の下底に相当する位置における外径より小さい径で開口する装着用開口３１２が設けられている。装着用開口３１２は、容器本体１１１がなす錐台形状の上底および下底の形状と相似関係をなす。具体的に、この実施の形態の装着用開口３１２は、容器本体１１１における底板部材３０４の外形よりも大きく、容器本体１１１における容器開口３０３の位置における外径よりも小さい円形をなす。
【００４３】
＜固定部材２０１＞
つぎに、固定部材２０１について説明する。固定部材２０１は、箱体１２１が容器本体１１１に装着される状態において、フラップ２０２を背面側の側面部１２３ｃに固定し、フラップ２０２と背面側の側面部１２３ｃとを一体化する。固定部材２０１は、具体的には、たとえば、シール、糊や接着剤を塗布したテープ、糊、接着剤などによって実現することができる。
【００４４】
固定部材２０１は、背面側の側面部１２３ｃとフラップ２０２とを一体化させた後、背面側の側面部１２３ｃとフラップ２０２とを分離する場合、すなわち、箱体１２１を開く場合には、箱体１２１の損壊をともなう程度の強さの粘着力があることが好ましい。具体的に、たとえば、シールやテープによって固定部材２０１を実現する場合、当該シールやテープを剥がす際に、当該シールやテープに引っ張られて箱体１２１が破ける程度の粘着力があることが好ましい。あるいは、当該シールやテープを剥がす際に、当該シールやテープ自体が破断されるなどして損壊してもよい。
【００４５】
このように、背面側の側面部１２３ｃとフラップ２０２とを一体化することにより、容器本体１１１に装着される状態において、各面部１２２、１２３、３１１の位置関係を固定することができる。これにより、たとえば、店舗などにおいて陳列している包装容器１００における容器本体１１１に悪意で異物を混入させようとしても、箱体１２１を損壊しなければ異物混入ができない。そして、箱体１２１が損壊している場合には異物混入など、商品に異常が生じている可能性が高いことを報知できる。これによって、異物が混入した包装容器１００を購入してしまうことを容易かつ確実に防止することができ、購買者の安全性を確保することができる。
【００４６】
箱体１２１においては、フラップ２０２を設けず、天面部１２２において重なり合う２枚のシートのように、箱体１２１を構成する各面部１２２、１２３、３１１どうしを接着するなどして、各面部１２２、１２３、３１１の位置関係を固定してもよい。これによっても、店舗などにおいて陳列している包装容器１００における容器本体１１１に悪意で異物を混入させようとしても、箱体１２１を損壊しなければ異物混入ができない状況をつくり、購買者の安全性を確保することができる。
【００４７】
（箱体１２１の詳細な構造）
つぎに、箱体１２１の詳細な構造について説明する。図４は、箱体１２１の展開図である。図４において、箱体１２１は、単一のシート状部材によって形成される。すなわち、箱体１２１は、底面部３１１、天面部１２２および４つの側面部１２３が一体とされた、いわゆるＮ式箱（Ｎ式の組箱）によって実現される。
【００４８】
箱体１２１をＮ式箱によって実現することにより、単一のシート状部材を折り曲げたり、当該単一のシート状部材の一部を同じく単一のシート状部材に設けた切り込み（スリット２０３）や孔に差し込んだりすることによって組み立てることができる。また、箱体１２１をＮ式箱によって実現することにより、糊・テープ・接着剤などを用いることなく、組み上げることができる。これにより、箱体１２１の組み上げ作業の容易化を図ることができる。
【００４９】
箱体１２１を、単一のシート状部材によって形成されるＮ式箱とすることにより、組み上げるまでは、型から抜き上がった状態の平板状の態様とし、必要に応じて、適宜組み上げて立体状の態様の箱体１２１とすることができる。これにより、箱体１２１を、組み上げ前の材料の状態で運搬したり保管したりする場合に要するスペースを抑えることができる。
【００５０】
ギフト用のパッケージ箱としても広く用いられているＮ式箱によって箱体１２１を実現することにより、優れた梱包性や開封性を確保することができる。また、Ｎ式箱によって箱体１２１を実現することにより、優れた美観を確保することができる。
【００５１】
箱体１２１を構成する単一のシート状部材は、たとえば、紙、プラスチックなど公知の各種の材料を用いて形成することができる。箱体１２１は、紙などのように、所定以上の外力が加えられた場合に損壊する程度の強度のシート状部材を用いて形成することが好ましい。具体的には、たとえば、トレーシングペーパーなどと称される半透明の薄手の紙を用いて形成することが好ましい。
【００５２】
箱体１２１は、ソデ部材対４０１を備えている。ソデ部材対４０１は、第１のソデ部材４０２と第２のソデ部材４０３とを備え、少なくとも側面部１２３の一部に対応して設けられている。ソデ部材対４０１は、箱体１２１が備える複数の側面部１２３のうち、少なくとも相対する２面に、それぞれ対応して設けられていることが好ましい。具体的に、この実施の形態の箱体１２１においては、右側の側面部１２３ｂに対応するソデ部材対４０１と、左側の側面部１２３ｄに対応するソデ部材対４０１と、を備えている。
【００５３】
第１のソデ部材４０２および第２のソデ部材４０３も、底面部３１１、天面部１２２および４つの側面部１２３と同じ、単一のシート状部材によって実現される。各ソデ部材４０２、４０３は、右側の側面部１２３ｂおよび左側の側面部１２３ｄの短辺に、それぞれ連続しており、右側の側面部１２３ｂおよび左側の側面部１２３ｄと一体化されている。
【００５４】
各ソデ部材対４０１を構成する第１のソデ部材４０２および第２のソデ部材４０３は、それぞれ、箱体１２１が容器本体１１１に装着される状態、すなわち、箱体１２１を組み上げた状態において、腕組構造によって相互に連結される。第１のソデ部材４０２および第２のソデ部材４０３は、それぞれ、略長方形状をなし、対応する側面部における短辺に連続して設けられている。このため、第１のソデ部材４０２および第２のソデ部材４０３における短辺の長さは、対応する側面部における短辺の長さと等しい。
【００５５】
第１のソデ部材４０２および第２のソデ部材４０３における長辺の長さは、それぞれ、対応する側面部における長辺の長さよりも短い。対をなす第１のソデ部材４０２および第２のソデ部材４０３における長辺の長さは、合計すると、対応する側面部１２３における長辺の長さよりも長い。このため、対をなす第１のソデ部材４０２および第２のソデ部材４０３は、箱体１２１を組み上げた状態において、先端が一部重複する。
【００５６】
対をなす第１のソデ部材４０２および第２のソデ部材４０３には、箱体１２１を組み上げた状態において重複する位置に、切欠き４０４および切込み４０５が設けられている。切欠き４０４は、第１のソデ部材４０２および第２のソデ部材４０３の一部を、それぞれ、奥側ほど幅が狭くなるように略三角形状に切り欠くことによって構成されている。
【００５７】
切込み４０５は、第１のソデ部材４０２および第２のソデ部材４０３のそれぞれに設けられた切れ目であって、短辺方向に沿って、切欠き４０４における奥側の先端にそれぞれ連続している。ソデ部材対４０１は、切込み４０５どうしをかみ合わせることによって連結され、腕組構造を構成する。
【００５８】
箱体１２１において、天面部１２２を構成するシートのうち、正面側の側面部１２３ａに連続するシート１２２Ａと、右側の側面部１２３ｂに連続するシート１２２Ｂと、は互いに等しい大きさおよび形状とされている。これにより、天面部１２２を構成するシート１２２Ａ〜１２２Ｄのうち、正面側の側面部１２３ａに連続するシート１２２Ａおよび右側の側面部１２３ｂに連続するシート１２２Ｂは、箱体１２１を組み上げた状態においてぴったり重なる。
【００５９】
また、箱体１２１において、天面部１２２を構成するシートのうち、背面側の側面部１２３ｃに連続するシート１２２Ｃ、および、左側の側面部１２３ｄに連続するシート１２２Ｄは、天面部１２２全体の大きさよりも小さいフラップ片とされている。シート１２２Ａ〜１２２Ｄの大きさや形状は、図４に示すものに限らない。
【００６０】
箱体１２１においては、シート１２２Ａ〜１２２Ｄをすべて同じ大きさと形状にしてもよい。この場合、シート１２２Ａ〜１２２Ｄは、たとえば、４つの側面部１２３にそれぞれ連続して設ける。この場合、天面部１２２において、４枚のシート１２２Ａ〜１２２Ｄがぴったり重なる。
【００６１】
ここで、箱体１２１を、たとえば、トレーシングペーパーなどと称される半透明の紙を用いて形成することにより、箱体１２１を組み上げることによって重なっている２枚のシート１２２Ａ、１２２Ｂのうち、箱体１２１の内側（下側）に位置付けられるシート１２２Ｂに印刷された文言・文字・イラスト・写真などを、箱体１２１の外側（上側）に位置付けられるシート１２２Ａを介して視認することができる。
【００６２】
これにより、箱体１２１の外側に位置付けられるシート１枚分の面積で、当該外側に位置付けられる１枚目のシート１２２Ａと、箱体１２１の内側に位置付けられる２枚目のシート１２２Ｂと、を用いて、情報を二重に伝達することができる。具体的には、２枚目のシート１２２Ｂに、１枚目のシート１２２Ａに印刷される情報とは異なる情報を印刷することにより、包装容器１００の購入者に対して、限られた面積を有効に利用して多くの情報を伝達することができる。
【００６３】
このような宣伝広告をおこなう場合、箱体１２１を構成するシート状部材の厚さや、透過率は、適宜調整することができる。箱体１２１を構成するシート状部材としての半透明の紙は、トレーシングペーパーに限るものではない。半透明の紙として、硫酸紙、パラフィン紙、グラシン紙などの紙を用いて箱体１２１を構成してもよい。
【００６４】
（包装容器１００の組み立て方法）
つぎに、この発明にかかる実施の形態の包装容器１００の組み立て方法について説明する。図５は、この発明にかかる実施の形態の包装容器１００の組み立て方法を示す説明図である。
【００６５】
図５に示すように、包装容器１００の組み立てに際しては、容器本体１１１に蓋体３０１を取り付けて、容器部１１０を構成する。また、抜き上げた状態の箱体１２１の各面部１２２、１２３、３１１どうしの境界を折り曲げて（谷折りして）、組み上げ前のシート状部材に、箱体１２１の形状をつける。
【００６６】
つぎに、各ソデ部材対４０１における第１のソデ部材４０２と第２のソデ部材４０３とを連結する。具体的に、対をなす第１のソデ部材４０２に設けられた切込み４０５と、第２のソデ部材４０３に設けられた切込み４０５と、を相互にかみ合わせることによって、第１のソデ部材４０２と第２のソデ部材４０３とを腕組みさせて連結する。
【００６７】
第１のソデ部材４０２および第２のソデ部材４０３には、それぞれ、第１のソデ部材４０２および第２のソデ部材４０３を奥側ほど幅が狭くなるように略三角形状に切り欠き、先端において切込み４０５に連続する切欠き４０４が設けられているため、この切欠き４０４をガイドとすることによって、切込み４０５どうしを容易かつ確実にかみ合わせることができる。
【００６８】
側面部を折り込む作業に先立って、ソデ部材対４０１における第１のソデ部材４０２と第２のソデ部材４０３とを連結している。このため、ソデ部材対４０１を連結する際に、同時に、各ソデ部材４０２、４０３に連結している右側の側面部１２３ｂおよび左側の側面部１２３ｄが折り曲がって、底面部３１１から立ち上がる。そして、連結されているソデ部材対４０１によって、立ち上がった状態を維持する。
【００６９】
この実施の形態における箱体１２１によれば、このように、組み立て作業をおこなう作業者が、格別な治具を用いることなく、４つの側面部１２３のうちの２つが折れ曲がった状態を維持することができる。これにより、正面側の側面部１２３ａおよび背面側の側面部１２３ｃの折り曲げ作業に専念することができる。
【００７０】
ここで、包装容器１００における容器本体１１１を、たとえば、飲用とする場合、当該容器本体１１１に装着される箱体１２１は、大人の両手の中に収まる程度の大きさとすることが適している。このような大きさの箱体１２１の組み立てに、専用の治具を用いることは煩雑であって、作業効率が低下してしまう。
【００７１】
これに対し、この実施の形態の箱体１２１は、右側の側面部１２３ｂおよび左側の側面部１２３ｄを起立した状態で維持することができ、一度に２つずつの側面部を折り曲げる作業をおこなうだけで箱体１２１を組み上げることができる。そして、箱体１２１の組み上げの最初に、抜き上げた状態の箱体１２１の各面部１２２、１２３、３１１どうしのすべての境界を折り曲げているため、２つずつであれば、専用の治具を用いたり、複数人で作業したりすることなく、１人の作業者が容易かつ確実に箱体１２１を組み上げることができる。
【００７２】
つぎに、各側面部に連続する天面部１２２を折り込む。これにより、正面側の側面部１２３ａに連続するシートおよび右側の側面部１２３ｂに連続するシートが、天面部１２２において重なる。この実施の形態の箱体１２１は、天面部１２２において重なり合うシートが、正面側の側面部１２３ａおよび右側の側面部１２３ｂにそれぞれ連続している。これにより、箱体１２１の組み上げ作業に際して、天面部１２２をなすシートによって作業者の視界を遮りにくくすることができ、箱体１２１の組み上げ作業をスムーズにおこなわせることができる。
【００７３】
その後、背面側の側面部１２３ｃに設けられたスリット２０３に、フラップ２０２の先端を挿入し、複数の天面部１２２が重なった状態で、フラップ２０２を背面側の側面部１２３ｃに固定して一体化する。これによって箱体１２１が組み上がり、同時に、包装容器１００が完成する。
【００７４】
この実施の形態の包装容器１００においては、箱体１２１が、四角柱形状をなしている。このため、店舗などにおいては、箱体１２１の側面部どうしをつきあわせることにより、複数の包装容器１００を、容易に整列させることができる。そして、このように、複数の包装容器１００を店舗において整然と並べることにより、包装容器１００の陳列棚における美観を確保し、包装容器１００の販売促進を図ることができる。
【００７５】
また、包装容器１００を運搬する際、同様に箱体１２１の側面部どうしをつきあわせることにより、複数の包装容器１００を安定した状態で運搬することができる。これにより、運搬用の格別な箱や治具を用いることなく、運搬中に包装容器１００が振動したり、別の包装容器１００と接触したりして、包装容器１００が傷ついたり凹んだりする不具合が生じることを回避できる。
【００７６】
（箱体１２１の別の利用例）
箱体１２１は、容器本体１１１への異物の混入や容器開口３０３周辺の異物による汚染を防止するのみでなく、購入され開封された後は、別の用途で利用することができる。図６は、箱体１２１の別の利用例を示す説明図である。
【００７７】
図６に示すように、箱体１２１の天面部１２２は、側面部１２３やフラップ２０２と切り離して、しおり・メッセージカード・コースターなどの用途に使用することができる。切り離しを容易化するために、箱体１２１の天面部１２２と側面部１２３やフラップ２０２との間に、切り取り用のミシン目を設けてもよい。
【００７８】
箱体１２１は、天面部１２２において複数のシート１２２Ｂ、１２２Ａを重ねているため、具体的には、たとえば、もっとも外側のシート１２２Ａには、商品の購入前に購買者が注意する情報を印刷し、内側に重ねられるシート１２２Ｂには商品の購入後に必要とする情報を印刷してもよい。このように、容器本体１１１に装着された状態においては、重ねることによって箱体１２１内への異物混入をしにくくする機能を果たす天面部１２２の一部を、箱体１２１を容器本体１１１から取り外した後は別の用途で利用することにより、資源の有効利用を図ることができる。
【００７９】
（別の実施の形態）
つぎに、この発明にかかる別の実施の形態の包装容器について説明する。別の実施の形態においては、上述した実施の形態の包装容器と同一部分は同一符号で示し、説明を省略する。図７および図８は、この発明にかかる別の実施の形態の包装容器を示す説明図である。
【００８０】
図７に示すように、別の実施の形態の包装容器１００は、上述した包装容器１００と比較して、天面部１２２を構成する複数のシート１２２Ａ〜１２２Ｄが、天面部１２２において重ね合わされる態様が異なっている。具体的に、天面部１２２を構成するシートのうち、正面側の側面部１２３ａに連続するシート１２２Ａは、上記説明と同様に、底面部３１１の外形と同じ大きさおよび形状のオーバーフラップとされている。
【００８１】
右側の側面部１２３ｂに連続するシート１２２Ｂ、および、背面側の側面部１２３ｃに連続するシート１２２Ｃは、天面部１２２全体の大きさよりも小さいフラップ片とされている。左側の側面部１２３ｄに連続するシート１２２Ｄは、シート１２２Ａより小さく、シート１２２Ｂ、１２２Ｃより大きく形成されている。シート１２２Ｂとシート１２２Ｄとを合わせた面積は、シート１２２Ａの面積よりも大きい。
【００８２】
箱体１２１を組み立てた状態においては、箱体１２１の内側から順に、シート１２２Ｃ、シート１２２Ｂ、シート１２２Ｄ、シート１２２Ａが重ねられて天面部１２２を構成する。天面部１２２を構成した状態において、シート１２２Ｂは、一部がシート１２２Ｃに重ね合わされる。
【００８３】
シート１２２Ｂとシート１２２Ｄとを合わせた面積は、シート１２２Ａの面積よりも大きいため、シート１２２Ｄは、天面部１２２を構成するように折り畳まれた状態において、対向する位置関係にあるシート１２２Ｂに、一部が重なる。また、シート１２２Ｄは、シート１２２Ａより小さく、シート１２２Ｂ、１２２Ｃより大きいため、天面部１２２を構成するように折り畳まれた状態において、シート１２２Ｄが外側から重ねられたシート１２２Ｂの一部は外部に露出している。
【００８４】
別の実施の形態の包装容器１００は、箱体１２１を組み立てることによって重ね合わされたシート１２２Ｂとシート１２２Ｄとの位置関係を固定する第２の固定部材８０１を備えている。第２の固定部材８０１は、たとえば、上記の固定部材２０１と同様に、シールやテープによって実現することができる。
【００８５】
第２の固定部材８０１は、シート１２２Ｃに設けられた広告内容を隠さないように、たとえば、一面側に透明な糊や接着剤を塗布した、透明のフィルムによって実現することが好ましい。あるいは、第２の固定部材８０１は、糊や接着剤などによって実現してもよい。
【００８６】
別の実施の形態の包装容器１００において、シート１２２Ａは、第２の固定部材８０１によって固定されたシート１２２Ｂおよびシート１２２Ｄを覆うようにして、これらのシート１２２Ｂ、１２２Ｄに重ね合わされる。箱体１２１を組み立てた状態においては、第２の固定部材８０１は、シート１２２Ａによって覆われて外部から視認できない。
【００８７】
このように、シート１２２Ｂおよびシート１２２Ｄを第２の固定部材８０１によって固定することにより、箱体１２１の強度を高めることができる。特に、第２の固定部材８０１を軽量なシールなどによって実現することにより、箱体１２１の重量を増やすことなく、箱体１２１の強度を高めることができる。
【００８８】
箱体１２１の強度を高めることにより、たとえば、箱体１２１の側面部どうしをつきあわせるようにして包装容器１００を箱詰めして運搬する際に、箱体１２１が変形したり損傷したりすることを防止できる。また、店舗などに陳列する際に箱体１２１が把持された場合にも、箱体１２１が変形したり損傷したりすることを防止できる。
【００８９】
また、別の実施の形態の包装容器１００によれば、第２の固定部材８０１によってシート１２２Ｂおよびシート１２２Ｄを固定することにより、店舗に陳列されている状態などにおいて、箱体１２１からシート１２２Ｂやシート１２２Ｄを引き出すことを確実に防止できる。また、シート１２２Ａおよびシート１２２Ｃは、固定部材２０１によって固定されている。このため、別の実施の形態の包装容器１００によれば、箱体１２１の強度を高めるとともに、箱体１２１からシート１２２Ａ〜１２２Ｄのいずれかを引き出して箱体１２１に隙間を作ったり、箱体１２１の隙間から異物を混入したりすることを確実に防止することができる。
【００９０】
このように、別の実施の形態の包装容器１００によれば、運搬時などにおける箱体１２１の変形による美観低下や異物混入の危険性を防ぐことができる。そして、このような箱体１２１を備えた包装容器１００によれば、包装容器１００を用いた商品の購入者（利用者）が、包装容器１００をショッパーなどと称される袋に入れて持ち運ぶ際に、箱体１２１が変形したり損傷したりすることを防止できる。
【００９１】
これにより、利用者は、購入した状態と同じ状態の商品、すなわち、衛生性や美観が確保された商品を自宅などに持ち帰ることができる。そして、容器部１１０を安心して、かつ、気分良く使用することができる。
【００９２】
以上説明したように、この発明にかかる実施の形態の包装容器１００は、内側に空間３０２を備えた錐台形状をなし、当該錐台形状における下底に相当する位置または当該位置の近傍に容器開口３０３を備えた容器本体１１１と、天面部１２２および底面部３１１と、当該天面部１２２および当該底面部３１１に連続する側面部１２３とを備え、容器開口３０３を含む下底を囲む箱体１２１と、を備え、箱体１２１が、底面部３１１に、錐台形状における上底に相当する位置における外径より大きく、下底に相当する位置における外径より小さい径で開口する装着用開口３１２を備え、錐台形状における錐台面が装着用開口３１２内に位置し、側面部１２３および底面部３１１によって容器開口３０３を覆う状態で、容器本体１１１に装着されることを特徴としている。
【００９３】
この発明にかかる実施の形態の包装容器１００によれば、容器本体１１１に、容器開口３０３の周辺を覆う箱体１２１を装着することにより、容器本体１１１を使用する購買者が箱体１２１を開封するまでの間、容器開口３０３から容器本体１１１の内部に異物が混入したり、容器本体１１１における容器開口３０３の周辺が汚染されたりすることを防止できる。これにより、容器本体１１１の内部および容器開口３０３の周辺を清潔に維持することができ、良好な衛生状態を確保することができる。
【００９４】
また、容器本体１１１が、容器開口３０３付近ほど外径が大きくなるように、側面（錐台面が）鉛直方向に対して傾斜した錐台形状（テーパー形状）をなしているため、箱体１２１を容器本体１１１から引き抜こうとしても、装着用開口３１２が容器本体１１１の側面に引っかかり、箱体１２１を損壊しなくては容器本体１１１から箱体１２１を取り外すことができない。すなわち、容器本体１１１に、箱体１２１の引き抜きを防止するための突起を別途設けることなく、容器本体１１１の本来の形状を利用して、箱体１２１の引き抜きを防止することができる。これにより、容器本体１１１の内部および容器開口３０３の周辺を、確実に、清潔に維持することができ、良好な衛生状態を確保することができる。
【００９５】
なお、この発明にかかる箱体１２１は、有底の筒形状、ないし、有底の筒状部材に蓋体３０１を取り付けた柱形状の容器本体１１１に対しても装着することができる。この場合、筒形状ないし柱形状の容器本体１１１の外周面であって容器開口３０３の付近に、外周側に突出する突起を設ける。突起は、容器本体１１１の外周面を囲むような環形状をなすリブ状の突起であってもよく、断続的に複数設けた突起であってもよい。これにより、容器本体１１１に装着された箱体１２１が容器本体１１１から引き抜かれることを防止し、容器本体１１１の内部および容器開口３０３の周辺を清潔に維持し、良好な衛生状態を確保することができる。
【００９６】
さらに、開口周辺を覆う箱体１２１を装着することにより、容器開口３０３の周辺に空間３０２を確保することができる。これにより、万一、箱体１２１に液体状の異物が付着した場合にも、当該異物が開口周辺に付着することを回避できる。これにより、容器本体１１１の内部および容器開口３０３の周辺を、確実に、清潔に維持することができ、良好な衛生状態を確保することができる。
【００９７】
具体的には、たとえば、容器本体１１１を飲用容器として使用する場合は、異物が混入した飲料を摂取することを回避できる。また、たとえば、容器本体１１１を化粧品の容器として使用する場合は、異物が混入した化粧品が肌に直接触れることを回避できる。これにより、容器本体１１１の購買者の安全性を確保することができる。
【００９８】
たとえば、シュリンクなどと称されるパッケージ方法を用いて、容器本体１１１を薄いフィルムによって包装すると、容器本体１１１の質感にかかわらず、フィルムの質感が前面に押し出される。そして、フィルムのツルツルした質感のみが強調され、店舗などに陳列されている状態において、容器本体１１１の本来の質感を伝えにくくなる。このため、容器の質感に工夫を凝らしても、同様のフィルムによって包装された商品と質感の点では差異を示しにくく、当該工夫が販売促進に直接的につながりにくい現状があった。一方で、フィルムを設けずに容器本体１１１のみを陳列した場合、開口から容器本体１１１の内部に異物が混入したり、容器本体１１１における容器開口３０３の周辺が汚染されたりする懸念がある。
【００９９】
これに対し、この発明にかかる実施の形態の包装容器１００によれば、容器本体１１１の開口周辺のみを箱体１２１によって覆うことにより、購入後に実際に使用される容器本体１１１の質感を消費者に確実に伝えることができる。
【０１００】
このように、この発明にかかる実施の形態の包装容器１００によれば、販売時における美観や質感を損なうことなく、購買者の安全性を確保することができる。そして、これにより、包装容器１００の販売促進を図ることができる。
【０１０１】
また、箱体１２１が面によって構成されていることから、各面に容易に印刷を施すことができ、かつ、購買者に対する印刷内容の良好な視認性を確保することができる。これにより、箱体１２１の各面に宣伝広告を設けることができ、購入後に実際に使用される容器本体１１１のそれ自体に宣伝広告を設けなくても、包装容器１００を利用した商品の効果的な宣伝広告をおこなうことができる。
【０１０２】
そして、購入後に実際に使用される容器本体１１１に宣伝広告を設けることがないため、容器本体１１１を、たとえば、紙コップなどのディスポーザブル用途として使用する場合にも、購買者が「洗練されている」、「上品である」、「高級感がある」などと感じやすくなるデザインとすることができる。これにより、販売促進を図ることができる。
【０１０３】
また、この発明にかかる実施の形態の包装容器１００は、容器本体１１１に取り外し可能に取り付けられ、当該容器本体１１１に取り付けられた状態において容器開口３０３を閉塞する蓋体３０１を備え、箱体１２１が、蓋体３０１および容器開口３０３を覆う状態で、容器本体１１１に装着されることを特徴としている。
【０１０４】
この発明にかかる実施の形態の包装容器１００によれば、容器開口３０３を塞ぐ蓋体３０１とともに容器開口３０３の周辺を覆う箱体１２１を装着することにより、購買者が箱体１２１を開封するまでの間、容器開口３０３から容器本体１１１の内部に異物が混入したり、容器本体１１１における容器開口３０３の周辺が汚染されたりすることをより確実に防止できる。これにより、良好な衛生状態を確保し、購買者の安全性を確保することができる。
【０１０５】
また、この発明にかかる実施の形態の包装容器１００は、箱体１２１が、容器本体１１１に装着される状態において、各面部１２２、１２３、３１１の位置関係を固定する固定部材２０１を備えたことを特徴としている。
【０１０６】
この発明にかかる実施の形態の包装容器１００によれば、各面部１２２、１２３、３１１の位置関係を固定することにより、箱体１２１を損壊しなければ異物混入ができないようにすることで、悪意による異物混入を防止し、かつ、箱体１２１の損壊をもって商品に異常が生じている可能性を報知できる。これによって、異物が混入した包装容器１００を購入してしまうことを容易かつ確実に防止することができ、購買者の安全性を確保することができる。
【０１０７】
また、この発明にかかる実施の形態の包装容器１００は、箱体１２１が、天面部１２２に連続し、当該箱体１２１が容器本体１１１に装着された状態において側面部と重なった状態で当該側面部と一体化されるフラップ２０２を備えたことを特徴としている。
【０１０８】
この発明にかかる実施の形態の包装容器１００によれば、天面部１２２など、購買者の目に付く位置にテープを貼り付けたりすることなく、各面部１２２、１２３、３１１の位置関係を固定し、箱体１２１を損壊しなければ異物混入ができないようにすることができる。これにより、箱体１２１における各面部１２２、１２３、３１１を利用した宣伝広告の機能を低下させることなく、購買者の安全性を確保することができる。
【０１０９】
また、この発明にかかる実施の形態の包装容器１００は、箱体１２１が、単一のシート状部材によって形成されることを特徴としている。
【０１１０】
この発明にかかる実施の形態の包装容器１００によれば、いわゆるＮ式箱によって箱体１２１を構成することにより、箱体１２１による梱包性や開封性を確保し、容器本体１１１に装着される状態の箱体１２１の美観を確保するとともに、箱体１２１の組み上げ作業の容易化を図ることができる。さらに、箱体１２１の組み上げ作業の容易化を図ることにより、必要時に必要数を適宜組み上げればよく、組み上げない状態の単一のシート状部材の運搬性や保管スペースの低減に寄与することができる。
【０１１１】
また、この発明にかかる実施の形態の包装容器１００は、箱体１２１が、少なくとも側面部の一部に対応して設けられ、当該箱体１２１が容器本体１１１に装着される状態において、腕組構造によって相互に連結されるソデ部材対４０１を備えたことを特徴としている。
【０１１２】
この発明にかかる実施の形態の包装容器１００によれば、ソデ部材対４０１における第１のソデ部材４０２と第２のソデ部材４０３とを連結し、治具あるいは接着剤やテープを用いることなく、組み上げ途中の箱体１２１の形状を維持することができる。これにより、箱体１２１の組み上げ作業の容易化を図ることができる。
【産業上の利用可能性】
【０１１３】
以上のように、この発明にかかる包装容器は、店舗などに陳列して販売される包装容器に有用であり、特に、コンセプトを重要視して質感などを強調して販売される包装容器に適している。
【符号の説明】
【０１１４】
１００  包装容器
１１１  容器本体
１１０  容器部
１２０  包装部
１２１  箱体
１２２  天面部
１２３（１２３ａ、１２３ｂ、１２３ｃ、１２３ｄ）  側面部
２０１  固定部材
３０１  蓋体
３０３  容器開口
３０４  底板部材
３１１  底面部
３１２  装着用開口
【図１】
2019055799.tif 000003
【図２】
2019055799.tif 000004
【図３】
2019055799.tif 000005
【図４】
2019055799.tif 000006
【図５】
2019055799.tif 000007
【図６】
2019055799.tif 000008
【図７】
2019055799.tif 000009
【図８】
2019055799.tif 000010